(57)【要約】      （修正有）【課題】何らの構造変更を要することなく既存の容器本体にＩＣタグを容易に装着でき、かつ容器本体からのＩＣタグの取り外しを容易にできるとともに、容器本体及びＩＣタグの再利用を可能にした試料収納容器を提供する。【解決手段】容器本体１１の開口縁部１３の端面１３ａに封止部材１４を介してＩＣタグ１５を積層状態に配置し、熱収縮フィルム１６を加熱して熱収縮することによりＩＣタグ１５の外周面及び容器本体１１の一端部外周面を覆うように密着してＩＣタグ１５を容器本体１１の開口縁部に固定する。【選択図】  図３
2008008711.tif 000002
【特許請求の範囲】
【請求項１】
一端に開口を有し他端が閉塞された試料収納用の容器本体と、前記開口を封止する封止部材と、前記開口に前記封止部材を介して積層状態に配置されるＩＣタグと、前記ＩＣタグの外周面及び前記容器本体の一端部外周面を覆うように密着して前記容器本体の開口端面に前記ＩＣタグを固定する熱収縮フィルムとを備えることを特徴とする試料収納容器。
【請求項２】
前記ＩＣタグは、前記開口の周囲に形成したリング状縁部の端面に前記封止部材を介して積層され、かつ前記開口のリング状縁部に対応する形状に形成されたリング状のコイル収容ケースと、前記コイル収容ケースに該コイル収容ケースの周縁から外方へ突出するように連接されたＩＣ収容部と、前記コイル収容ケース内に配設されたアンテナ兼用の発電コイルと、前記ＩＣ収容部内に配設され前記アンテナ兼用の発電コイルに接続されたＩＣチップとを備えることを特徴とする請求項１記載の試料収納容器。
【請求項３】
前記開口に対向する前記熱収縮フィルムの箇所には前記封止部材を露出する開口が形成されていることを特徴とする請求項１または２記載の試料収納容器。
【請求項４】
前記容器本体に固定された前記ＩＣタグは前記熱収縮フィルムを破断することにより前記容器本体から分離されることを特徴とする請求項１記載の試料収納容器。
【発明の詳細な説明】
【技術分野】
【０００１】
本発明は、医療用検査またはゲノム解析などに用いられる研究用試料等を収納し保存するのに好適な試料収納容器に関し、特に容器内に収納された試料に関する情報の書き込み及び読み出しを非接触で行い得るＩＣタグを備えた試料収納容器の改良に関するものである。
【背景技術】
【０００２】
病院や診療所等において、患者の病気診断または検診者の健康診断に際しては、これら患者または検診者から採取した血液、尿、便、体液、その他の検体試料を分析し検査する必要がある。
一方、採取した検体試料の保管には、プラスチックまたはガラスからなる専用の試料収納容器が用いられ、さらに、患者または検診者の氏名、年齢、性別、検査項目、その他の検査に関する所要事項を記入した検査依頼票またはバーコードを印刷したラベルを容器に貼り付け、この検査依頼票またはバーコードラベルに基づいて容器を含めた検体の識別及び管理を行うようにしている。
【０００３】
また、最近では、上記検査依頼票などのラベルを用いた方式のものに代えて、多量の情報を記憶できるＩＣタグを試料収納容器に装着し、このＩＣタグを利用して、容器を含めた検体を識別し管理するようにしている（例えば、特許文献１参照）。
【特許文献１】特開２００５−２５７５７３号公報
【発明の開示】
【発明が解決しようとする課題】
【０００４】
しかしながら、検査依頼票などのラベルを用いた従来の試料収納容器では、ラベルへの所要事項の記入やラベルの容器への貼り付け作業が必要になるため、これらのラベルの作成に時間がかかり、コスト高になるほか、容器及び検体がどの患者または検診者のものかを識別しようとすると、容器を保管用のトレイから取り出して確認する必要があるため、その識別作業が煩雑で面倒になるという問題がある。また、試料収納容器に貼り付けられた検査依頼票などのラベルは簡単に剥がすことができないため、ラベルが貼り付けられたまま試料収納容器を廃棄した場合、その廃棄過程でラベルから患者の病気または検診者の検診情報が第三者に漏れたり、盗まれたりする問題がある。
【０００５】
また、従来のＩＣタグを用いた試料収納容器では、ＩＣタグを収納する収納体を設け、このＩＣタグ収納体と容器本体の底部下面に互いに結合される結合部をそれぞれ設け、この両結合部を互いに結合することによりＩＣタグを試料収納容器に装着する方式であるため、容器本体及びＩＣタグ収納体を互いに結合できる専用の構造に形成する必要がある。このため、上記のようなＩＣタグは既存の試料収納容器に利用することができず、コスト高になるという不具合があった。
【０００６】
本発明は上記のような従来の問題点を解決するためになされたもので、何らの構造変更を要することなく既存の容器本体にＩＣタグを容易に装着でき、かつ容器本体からのＩＣタグの取り外しを容易にできるとともに、容器本体及びＩＣタグの再利用を可能にした試料収納容器を提供することを目的とする。
【課題を解決するための手段】
【０００７】
上記の目的を達成するために本発明の試料収納容器は、一端に開口を有し他端が閉塞された試料収納用の容器本体と、前記開口を封止する封止部材と、前記開口に前記封止部材を介して積層状態に配置されるＩＣタグと、前記ＩＣタグの外周面及び前記容器本体の一端部外周面を覆うように密着して前記容器本体の開口端面に前記ＩＣタグを固定する熱収縮フィルムとを備えることを特徴とする。
【発明の効果】
【０００８】
本発明の試料収納容器によれば、容器本体の開口端面に封止部材を介して積層状態に配置されたＩＣタグを熱収縮フィルムの加熱による熱収縮により容器本体に固定するように構成したので、容器本体に何らの構造的変更を加える必要がなく、既存の容器本体にＩＣタグを容易に装着でき、これにより、ＩＣタグ付き試料収納容器を低コストで提供でき、しかも、熱収縮フィルムを破断することでＩＣタグを容器本体から容易に分離し取り外すことができるとともに、容器本体及びＩＣタグを再利用することができる。
【発明を実施するための最良の形態】
【０００９】
（実施の形態１）
次に、本発明にかかる試料収納容器の実施の形態について図面を参照して説明する。なお、本発明の試料収納容器は、以下に説明する実施の形態に限定されるものではない。
【００１０】
図１は本実施の形態における試料収納容器の斜視図、図２(Ａ)は本実施の形態におけるＩＣタグのコイル収容ケースとＩＣ収容部及びこれらコイル収容ケースとＩＣ収容部内にアンテナ兼用の発電コイルとＩＣチップを収容した状態を示す裏面図、図２(Ｂ)はコイル収容ケース及びＩＣ収容部の蓋部材の平面図、図３は図１の３−３線に沿う拡大断面図、図４は本実施の形態における熱収縮フィルムによるＩＣタグの固定過程を示す説明用斜視図、図５は本実施の形態における熱収縮フィルムを破断してＩＣタグを分離可能にした状態を示す説明用斜視図である。
【００１１】
この実施の形態における試料収納容器１０は、図１〜図３に示すように、上端に開口１２及びこの開口１２の周囲を囲むように同心円に形成されたリング状の縁部１３を有し下端が閉塞された、プラスチックまたはガラスからなる試料収納用のチューブ状の容器本体１１と、この容器本体１１の開口１２を封止する封止部材１４と、この封止部材１４を介して容器本体１１の開口縁部１３の端面１３ａに積層状態に配置されるＩＣタグ１５と、このＩＣタグ１５の外周面及び容器本体１１の一端部外周面を覆うように密着して容器本体１１の開口縁部１３にＩＣタグ１５を固定する熱収縮フィルム１６とを備える構成になっている。
【００１２】
前記封止部材１４は、図３に示すように、容器本体１１の開口縁部１３の端面１３ａに熱溶融性接着層などにより水密に接着された薄板状のシール材１４１と、このシール材１４１の周縁から外方へ突出するように設けた、シール材剥離用の突片１４２と、容器本体１１の開口１２と対向するシール材１４１の外表面に形成された注射針差し込み部１４３を備えている。
【００１３】
前記ＩＣタグ１５は、図３に示すように、容器本体１１の開口縁部１３の端面１３ａに封止部材１４を介して積層可能に当接され、かつ開口縁部１３に対応する形状に形成されたリング状のコイル収容ケース１５１と、このコイル収容ケース１５１にコイル収容ケース１５１の周縁から外方へ突出するように連接されたＩＣ収容部１５２と、コイル収容ケース１５１内に配設されたアンテナ兼用の発電コイル１５３と、ＩＣ収容部１５２内に配設され、アンテナ兼用の発電コイル１５３に電気的に接続されたＩＣチップ１５４と、収容ケース１５１及びＩＣ収容部１５２の裏面を閉鎖する蓋部材１５５とを備える。また、ＩＣチップ１５４は、患者または検診者の氏名、年齢、性別、検査項目その他の検査に関する情報及び試料収納容器１０の識別・管理情報を記憶するメモリを備え、このメモリはアンテナ兼用の発電コイル１５３を介して外部から非接触でアクセス可能に構成されているとともにデータの読み書き可能になっている。
【００１４】
次に、ＩＣタグ１５を容器本体１１の開口縁部１３固定する場合について図４を参照して説明する。
まず、図４(Ａ)に示すように、一端が閉塞され、コイル収容ケース１５１の径にＩＣ収容部１５２の突出長さを加えた径を有する筒状の熱収縮フィルム１６を用意し、この熱収縮フィルム１６を、容器本体１１の開口縁部１３の端面１３ａに封止部材１４を介して積層されたＩＣタグ１５に上方から被せる。この状態で熱収縮フィルム１６を加熱する。熱収縮フィルム１６が加熱されると、図４(Ｂ)に示す状態の熱収縮フィルム１６が収縮され、ＩＣタグ１５の外周面及び容器本体１１の一端部外周面に、これらを被覆するように密着される。これにより、ＩＣタグ１５を容器本体１１の開口縁部１３に固定することができる。
また、熱収縮フィルム１６を図５に示すようにナイフなどにより切断して容器本体１１の一端部から取り除けば、ＩＣタグ１５を容器本体１１から分離できる。
【００１５】
このような本実施の形態の試料収納容器によれば、容器本体１１の開口縁部１３の端面１３ａに封止部材１４を介して積層状態に配置されたＩＣタグ１５を熱収縮フィルム１６の加熱による熱収縮により容器本体１１に固定するように構成したので、容器本体１に何らの構造的変更を加える必要がなく、既存の容器本体にＩＣタグ１５を容易に装着することができ、これにより、ＩＣタグ１５付き試料収納容器１０を低コストで提供することができる。しかも、熱収縮フィルム１６を破断することでＩＣタグ１５を容器本体１１から容易に分離し取り外すことができるとともに、容器本体１１及びＩＣタグ１５を再利用することができる。
また、本実施の形態によれば、ＩＣタグ１５と容器本体１１とを容易に分離することができるため、試料収納容器の廃棄過程でＩＣタグ１５の管理を確実にでき、これにより、メモリに記憶された情報が第三者に漏れたり、盗まれたりするのを防止できるほか、医療廃棄物と電子部品との分別が容易になるという効果がある。
【００１６】
（実施の形態２）
図６により本発明にかかる熱収縮フィルムの他の例について説明する。
この実施の形態における熱収縮フィルム１６は、容器本体１１の開口１３に対向する熱収縮フィルム１６の閉塞端面の中央箇所に封止部材１４を露出する開口１６ａを備える構成にしたものである。
このような構造の熱収縮フィルム１６を用いた試料収納容器においては、その開口１６ａを通して注射針などを直接差し込んで、容器本体内に収納した検体試料を抽出したり、または容器本体内に検体試料を注入することができる。
【００１７】
なお、本発明における容器本体１１の形状及びＩＣタグ１５の形状は上記実施の形態に示すものに限定されるものではない。
また、本発明は、特許請求の範囲に記載された試料収納容器の要旨を逸脱しない範囲において、具体的な構成、機能、作用効果において、他の種々の形態によっても実施することができる。
【図面の簡単な説明】
【００１８】
【図１】本実施の形態における試料収納容器の斜視図である。
【図２】(Ａ)は本実施の形態におけるＩＣタグのコイル収容ケースとＩＣ収容部及びこれらコイル収容ケースとＩＣ収容部内にアンテナ兼用の発電コイルとＩＣチップを収容した状態を示す裏面図、(Ｂ)はコイル収容ケース及びＩＣ収容部の蓋部材の平面図である。
【図３】図１の３−３線に沿う拡大断面図である。
【図４】本実施の形態における熱収縮フィルムによるＩＣタグの固定過程を示す説明用斜視図である。
【図５】本実施の形態における熱収縮フィルムを破断してＩＣタグを分離可能にした状態を示す説明用斜視図である。
【図６】本発明における熱収縮フィルムの他の例を示す斜視図である。
【符号の説明】
【００１９】
１０    試料収納容器
１１    容器本体
１２    開口
１３    縁部
１３ａ  端面
１４    封止部材
１４１  シール材
１４２  突片
１４３  注射針差し込み部
１５    ＩＣタグ
１５１  コイル収容ケース
１５２  ＩＣ収容部
１５３  アンテナ兼用の発電コイル
１５４  ＩＣチップ
１５５  蓋部材
１６    熱収縮フィルム
【図１】
2008008711.tif 000003
【図２】
2008008711.tif 000004
【図３】
2008008711.tif 000005
【図４】
2008008711.tif 000006
【図５】
2008008711.tif 000007
【図６】
2008008711.tif 000008